【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
ユーザ機器(UE)において動作可能なワイヤレス通信の方法であって、
ある送信時間間隔(TTI)において、最小セットの拡張アップリンク専用チャネル(E-DCH)トランスポートフォーマット組合せ(E-TFC)モード、最小セットのトランスポートフォーマット組合せ(TFC)モード、または複数の無線アクセスベアラ(マルチRAB)モードでの前記最小セットのE-TFCモードと前記最小セットのTFCモードとの両方で前記UEを動作させるステップと、
前記TTIでのアップリンク高速専用物理制御チャネル(HS-DPCCH)における送信に関して第1のデータをスケジュールすることを決定するステップと、
前記TTIでのアップリンクデータチャネルにおける送信に関して第2のデータをスケジュールすることを決定するステップと、
前記最小セットのE-TFCモード、前記最小セットのTFCモード、または前記マルチRABモードでの前記最小セットのE-TFCモードと前記最小セットのTFCモードとの両方で動作させている間に前記第1のデータおよび前記第2のデータを並行して送信する際に前記UEが前記TTIにおいて送信電力制限されている場合、前記TTIの間に送信する前記第2のデータを構築することを控えるステップと
を含む方法。
【請求項２】
前記アップリンクデータチャネルが、アップリンク専用チャネル(DCH)または拡張アップリンクDCH(E-DCH)のうちの少なくとも1つを備える、請求項1に記載の方法。
【請求項３】
前記第1のデータが、以前のTTIにおいて受信されたデータのためのチャネル品質インジケータ(CQI)またはハイブリッド自動再送要求(HARQ)肯定応答(ACK)もしくは否定ACKのうちの少なくとも1つを備える、請求項1に記載の方法。
【請求項４】
同一のTTIにおいて専用物理制御チャネル(DPCCH)上で第3のデータを送信するステップであって、前記第3のデータが、第1の電力レベルで送信される第1の部分と、所定の量だけ前記第1の電力レベルよりも少ない第2の電力レベルで送信される第2の部分とを含む、ステップと、
前記所定の量だけ前記第1のデータの一部分の送信電力を増加させるステップと
をさらに含む、請求項1に記載の方法。
【請求項５】
前記第3のデータの前記第2の部分が非パイロットビットを備える、請求項4に記載の方法。
【請求項６】
前記第1のデータの前記一部分および前記第3のデータの前記第2の部分の前記送信電力の合計が前記UEの最大送信電力限度以下である、請求項4に記載の方法。
【請求項７】
第1の電力レベルで前記TTIにおいて前記第1のデータの第1の部分を送信するステップと、
前記第1の電力レベルよりも少ない第2の電力レベルで前記TTIにおいて前記第1のデータの第2の部分を送信するステップと
をさらに含み、
前記第1のデータが、以前のTTIにおいて受信されたデータのためのハイブリッド自動再送要求(HARQ)肯定応答(ACK)もしくは否定ACKを備える、
請求項1に記載の方法。
【請求項８】
ワイヤレス通信のための装置であって、
ある送信時間間隔(TTI)において、最小セットの拡張アップリンク専用チャネル(E-DCH)トランスポートフォーマット組合せ(E-TFC)モード、最小セットのトランスポートフォーマット組合せ(TFC)モード、または複数の無線アクセスベアラ(マルチRAB)モードでの前記最小セットのE-TFCモードと前記最小セットのTFCモードとの両方で前記装置を動作させるための手段と、
前記TTIでのアップリンク高速専用物理制御チャネル(HS-DPCCH)における送信に関して第1のデータをスケジュールすることを決定するための手段と、
前記TTIでのアップリンクデータチャネルにおける送信に関して第2のデータをスケジュールすることを決定するための手段と、
前記最小セットのE-TFCモード、前記最小セットのTFCモード、または前記マルチRABモードでの前記最小セットのE-TFCモードと前記最小セットのTFCモードとの両方で動作させている間に前記第1のデータおよび前記第2のデータを並行して送信する際に前記装置が前記TTIにおいて送信電力制限されている場合、前記TTIの間に送信する前記第2のデータを構築することを控えるための手段と
を含む装置。
【請求項９】
前記アップリンクデータチャネルが、アップリンク専用チャネル(DCH)または拡張アップリンクDCH(E-DCH)のうちの少なくとも1つを備える、請求項8に記載の装置。
【請求項１０】
前記第1のデータが、以前のTTIにおいて受信されたデータのためのチャネル品質インジケータ(CQI)またはハイブリッド自動再送要求(HARQ)肯定応答(ACK)もしくは否定ACKのうちの少なくとも1つを備える、請求項8に記載の装置。
【請求項１１】
同一のTTIにおいて専用物理制御チャネル(DPCCH)上で第3のデータを送信するための手段であって、前記第3のデータが、第1の電力レベルで送信される第1の部分と、所定の量だけ前記第1の電力レベルよりも少ない第2の電力レベルで送信される第2の部分とを含む、手段と、
前記所定の量だけ前記第1のデータの一部分の送信電力を増加させるための手段と
をさらに含む、請求項8に記載の装置。
【請求項１２】
前記第3のデータの前記第2の部分が非パイロットビットを備える、請求項11に記載の装置。
【請求項１３】
前記第1のデータの前記一部分および前記第3のデータの前記第2の部分の前記送信電力の合計が前記UEの最大送信電力限度以下である、請求項11に記載の装置。
【請求項１４】
ユーザ機器(UE)を動作させるためのコードを含むコンピュータ可読記憶媒体であって、前記コードが、
ある送信時間間隔(TTI)において、最小セットの拡張アップリンク専用チャネル(E-DCH)トランスポートフォーマット組合せ(E-TFC)モード、最小セットのトランスポートフォーマット組合せ(TFC)モード、または複数の無線アクセスベアラ(マルチRAB)モードでの前記最小セットのE-TFCモードと前記最小セットのTFCモードとの両方で前記UEを動作させることと、
前記TTIでのアップリンク高速専用物理制御チャネル(HS-DPCCH)における送信に関して第1のデータをスケジュールすることを決定することと、
前記TTIでのアップリンクデータチャネルにおける送信に関して第2のデータをスケジュールすることを決定することと、
前記最小セットのE-TFCモード、前記最小セットのTFCモード、または前記マルチRABモードでの前記最小セットのE-TFCモードと前記最小セットのTFCモードとの両方で動作させている間に前記第1のデータおよび前記第2のデータを並行して送信する際に前記UEが前記TTIにおいて送信電力制限されている場合、前記TTIの間に送信する前記第2のデータを構築することを控えることと
を含む、コンピュータ可読記憶媒体。
【請求項１５】
前記アップリンクデータチャネルが、アップリンク専用チャネル(DCH)または拡張アップリンクDCH(E-DCH)のうちの少なくとも1つを備える、請求項14に記載のコンピュータ可読記憶媒体。
【請求項１６】
前記第1のデータが、以前のTTIにおいて受信されたデータのためのチャネル品質インジケータ(CQI)またはハイブリッド自動再送要求(HARQ)肯定応答(ACK)もしくは否定ACKのうちの少なくとも1つを備える、請求項14に記載のコンピュータ可読記憶媒体。
【請求項１７】
前記コードが、
同一のTTIにおいて専用物理制御チャネル(DPCCH)上で第3のデータを送信することであって、前記第3のデータが、第1の電力レベルで送信される第1の部分と、所定の量だけ前記第1の電力レベルよりも少ない第2の電力レベルで送信される第2の部分とを含む、送信することと、
前記所定の量だけ前記第1のデータの一部分の送信電力を増加させることと
をさらに含む、請求項16に記載のコンピュータ可読記憶媒体。
【請求項１８】
前記第3のデータの前記第2の部分が非パイロットビットを備える、請求項17に記載のコンピュータ可読記憶媒体。
【請求項１９】
前記第1のデータの前記一部分および前記第3のデータの前記第2の部分の前記送信電力の合計が前記UEの最大送信電力限度以下である、請求項17に記載のコンピュータ可読記憶媒体。
【請求項２０】
ワイヤレス通信のための装置であって、
少なくとも1つのプロセッサと、
前記少なくとも1つのプロセッサに結合された通信インターフェースと、
前記少なくとも1つのプロセッサに結合されたメモリとを備え、
前記少なくとも1つのプロセッサが、前記メモリに記憶されている実行可能コードによって、
ある送信時間間隔(TTI)において、最小セットの拡張アップリンク専用チャネル(E-DCH)トランスポートフォーマット組合せ(E-TFC)モード、最小セットのトランスポートフォーマット組合せ(TFC)モード、または複数の無線アクセスベアラ(マルチRAB)モードでの前記最小セットのE-TFCモードと前記最小セットのTFCモードとの両方で前記装置を動作させ、
前記TTIでのアップリンク高速専用物理制御チャネル(HS-DPCCH)における送信に関して第1のデータをスケジュールすることを決定し、
前記TTIでのアップリンクデータチャネルにおける送信に関して第2のデータをスケジュールすることを決定し、
前記最小セットのE-TFCモード、前記最小セットのTFCモード、または前記マルチRABモードでの前記最小セットのE-TFCモードと前記最小セットのTFCモードとの両方で動作させている間に前記第1のデータおよび前記第2のデータを並行して送信する際に前記装置が前記TTIにおいて送信電力制限されている場合、前記TTIの間に送信する前記第2のデータを構築することを控える
ように構成される、装置。
【請求項２１】
前記アップリンクデータチャネルが、アップリンク専用チャネル(DCH)または拡張アップリンクDCH(E-DCH)のうちの少なくとも1つを備える、請求項20に記載の装置。
【請求項２２】
前記アップリンクデータが、以前のTTIにおいて受信されたデータのためのチャネル品質インジケータ(CQI)またはハイブリッド自動再送要求(HARQ)肯定応答(ACK)もしくは否定ACKのうちの少なくとも1つを備える、請求項20に記載の装置。
【請求項２３】
前記プロセッサが、
同一のTTIにおいて専用物理制御チャネル(DPCCH)上で第3のデータを送信することであって、前記第3のデータが、第1の電力レベルで送信される第1の部分と、所定の量だけ前記第1の電力レベルよりも少ない第2の電力レベルで送信される第2の部分とを含む、送信することをし、
前記所定の量だけ前記第1のデータの一部分の送信電力を増加させる
ようにさらに構成される、請求項20に記載の装置。
【請求項２４】
前記第3のデータの前記第2の部分が非パイロットビットを備える、請求項23に記載の装置。
【請求項２５】
前記第1のデータの前記一部分および前記第3のデータの前記第2の部分の前記送信電力の合計が前記装置の最大送信電力限度以下である、請求項23に記載の装置。
【請求項２６】
前記プロセッサが、
第1の電力レベルで前記TTIにおいて前記第1のデータの第1の部分を送信し、
前記第1の電力レベルよりも少ない第2の電力レベルで前記TTIにおいて前記第1のデータの第2の部分を送信する
ようにさらに構成され、
前記第1のデータが、以前のTTIにおいて受信されたデータのためのハイブリッド自動再送要求(HARQ)肯定応答(ACK)もしくは否定ACKを備える、
請求項20に記載の装置。